【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
製造しようとする製品の形状を決定する設計を支援する製品設計支援装置であって、
前記製品の所定の製造条件を記憶保持する記憶手段と、
前記製品を特定する情報が入力されたときに、前記記憶手段から当該製品の前記所定の製造条件を読み出す読み出し手段と、
複数の段階に分割された前記製品の形状を決定する処理において、前記複数の段階の各々において当該段階において決定されるべき前記製品の形状が決定されたときに、前記製品を、前記読み出し手段により読み出された前記所定の製造条件を満たしつつ製造できるか否かを判定する判定手段と、
を有することを特徴とする製品設計支援装置。
【請求項２】
請求項１記載の製品設計支援装置であって、
前記判定手段により、前記複数の段階の各々において当該段階において決定されるべき前記製品の形状が決定されたときに、前記製品を、前記所定の製造条件を満たしつつ、当該段階までに決定された形状に製造することができないと判定された場合に、前記複数の段階において当該段階に続く次段階の製品設計に移行しないように構成される、
ことを特徴とする製品設計支援装置。
【請求項３】
請求項１又は２記載の製品設計支援装置であって、
前記判定手段により、前記複数の段階の各々において当該段階において決定されるべき前記製品の形状が決定されたときに、前記製品を、前記所定の製造条件を満たしつつ、当該段階までに決定された形状に製造することができないと判定された場合に、当該判定結果をユーザに伝達するための情報をユーザに提供する情報提供手段を更に有する、
ことを特徴とする製品設計支援装置。
【請求項４】
請求項３記載の製品設計支援装置であって、
前記情報提供手段は、前記判定結果と併せて、前記製品の形状又は前記所定の製造条件の変更をユーザに促すための情報をユーザに提供する、
ことを特徴とする製品設計支援装置。
【請求項５】
請求項３記載の製品設計支援装置であって、
前記情報提供手段は、
まず、前記判定結果と併せて、前記製品の形状の変更をユーザに促すための情報をユーザに提供し、
ユーザが前記製品の形状を変更しない場合、次いで、前記所定の製造条件の変更をユーザに促すための情報をユーザに提供する、
ことを特徴とする製品設計支援装置。
【請求項６】
請求項４又は５記載の製品設計支援装置であって、
前記情報提供手段は、前記所定の製造条件の変更をユーザに促すための情報をユーザに提供するとき、前記所定の製造条件の変更例に関する情報を併せてユーザに提供する、
ことを特徴とする製品設計支援装置。
【請求項７】
請求項４乃至６のいずれか一項記載の製品設計支援装置であって、
前記情報提供手段は、前記製品の形状の変更をユーザに促すための情報をユーザに提供するとき、前記製品の形状の変更例に関する情報を併せてユーザに提供する、
ことを特徴とする製品設計支援装置。
【請求項８】
請求項３乃至７のいずれか一項記載の製品設計支援装置であって、
前記情報提供手段は、前記情報をディスプレイ画面上に文字メッセージとして表示する、
ことと特徴とする製品設計支援装置。
【請求項９】
請求項１乃至８のいずれか一項記載の製品設計支援装置であって、
前記複数の段階がすべて完了して前記製品の形状が決定されたとき、前記所定の製造条件を前記製品と関連付けて前記記憶手段に記憶させる情報更新手段を更に有する、
ことを特徴とする製品設計支援装置。
【請求項１０】
請求項１乃至９のいずれか一項記載の製品設計支援装置であって、
前記所定の製造条件は、前記製品のサイズ若しくは構造又は前記製品を製造する製造機の仕様である、ことを特徴とする製品設計支援装置。
【請求項１１】
請求項１乃至１０のいずれか一項記載の製品設計支援装置であって、
前記複数の段階は、
前記製品の意匠面形状を決定する第一の段階と、
前記製品の裏面形状を含む中間段階の形状を決定する第二の段階と、
前記製品の細部の形状を含む最終段階の形状を決定する第三の段階と、
を含む、ことを特徴とする製品設計支援装置。
【手続補正２】
【補正対象書類名】明細書
【補正対象項目名】発明の名称
【補正方法】変更
【補正の内容】
【発明の名称】製品設計支援装置
【手続補正３】
【補正対象書類名】明細書
【補正対象項目名】０００６
【補正方法】変更
【補正の内容】
【０００６】
本発明の一態様は、製造しようとする製品の形状を決定する設計を支援する製品設計支援装置であって、上記製品の所定の製造条件を記憶保持する記憶手段と、上記製品を特定する情報が入力されたときに、上記記憶手段から当該製品の上記所定の製造条件を読み出す読み出し手段と、複数の段階に分割された上記製品の形状を決定する処理において、上記複数の段階の各々において当該段階において決定されるべき上記製品の形状が決定されたときに、上記製品を、上記読み出し手段により読み出された上記所定の製造条件を満たしつつ製造できるか否かを判定する判定手段と、を有する製品設計支援装置である。
【手続補正４】
【補正対象書類名】明細書
【補正対象項目名】０００７
【補正方法】変更
【補正の内容】
【０００７】
上記一態様において、上記複数の段階は、例えば、Ａ）上記製品の意匠面形状を決定する第一の段階と、Ｂ）上記製品の裏面形状を含む中間段階の形状を決定する第二の段階と、Ｃ）上記製品の細部の形状を含む最終段階の形状を決定する第三の段階と、を含む。
【手続補正５】
【補正対象書類名】明細書
【補正対象項目名】０００８
【補正方法】変更
【補正の内容】
【０００８】
また、上記一態様において、上記所定の製造条件は、例えば、上記製品のサイズ若しくは構造又は上記製品を製造する製造機の仕様である。より具体的には、上記所定の製造条件を満たすか否かの判定とは、例えば、ａ）金型のサイズが設定されている射出成形機に搭載可能であるか否か、ｂ）金型の重量が設定されている射出成形機に適応できるか否か、ｃ）射出成形後のコアを抜くことが出来るか否か、ｄ）傾斜コアの傾斜角度が適切であるか否か、ｅ）傾斜コアでアンダーカットを形成できるか否か、ｆ）エジェクタピンの突出量が適切であるか否か、及び／又は、ｇ）金型の構成部品同士が干渉するか否か、を判定するものである。
【手続補正６】
【補正対象書類名】明細書
【補正対象項目名】０００９
【補正方法】変更
【補正の内容】
【０００９】
上記一態様によれば、製造しようとする製品を所定の製造条件で製造することが可能か否かを製品設計中に判定するため、製品設計が完了した後に、設計した製品を実際に製造することができないことが判明して製品設計をやり直さなければならなくなることが防止され、製品設計が効率化される。
また、上記一態様によれば、製品設計の進捗の程度に着目し、製造しようとする製品を所定の製造条件を満たしつつ製造することが可能か否かを、製品設計中に製品設計の進捗の程度に応じて複数回判定するため、製品設計がある程度進んでから、設計した製品を実際に製造することができないことが判明して設計を大幅にやり直さなければならなくなることが防止され、製品設計が一層効率化される。
【手続補正７】
【補正対象書類名】明細書
【補正対象項目名】００１０
【補正方法】変更
【補正の内容】
【００１０】
なお、上記一態様において、上記製品設計支援装置は、上記判定手段により、上記複数の段階の各々において当該段階において決定されるべき上記製品の形状が決定されたときに、上記製品を、上記所定の製造条件を満たしつつ、当該段階までに決定された形状に製造することができないと判定された場合に、上記複数の段階において当該段階に続く次段階の製品設計に移行しないように構成される、ことが好ましい。
【手続補正８】
【補正対象書類名】明細書
【補正対象項目名】００１１
【補正方法】変更
【補正の内容】
【００１１】
また、上記一態様において、上記製品設計支援装置は、上記判定手段により、上記複数の段階の各々において当該段階において決定されるべき上記製品の形状が決定されたときに、上記製品を、上記所定の製造条件を満たしつつ、当該段階までに決定された形状に製造することができないと判定された場合に、当該判定結果をユーザに伝達するための情報をユーザに提供する情報提供手段を更に有する、ことが好ましい。
この場合、上記情報提供手段は、上記情報を、例えば、ディスプレイ画面上に文字メッセージとして表示する。
【手続補正９】
【補正対象書類名】明細書
【補正対象項目名】００１２
【補正方法】変更
【補正の内容】
【００１２】
また、上記情報提供手段は、例えば、ア）上記判定結果と併せて、上記製品の形状又は上記所定の製造条件の変更をユーザに促すための情報をユーザに提供したり、或いは、イ）まず、上記判定結果と併せて、上記製品の形状の変更をユーザに促すための情報をユーザに提供し、ユーザが上記製品の形状を変更しない場合、次いで、上記所定の製造条件の変更をユーザに促すための情報をユーザに提供したりする。
【手続補正１０】
【補正対象書類名】明細書
【補正対象項目名】００１３
【補正方法】変更
【補正の内容】
【００１３】
この場合、上記情報提供手段は、ｉ）上記所定の製造条件の変更をユーザに促すための情報をユーザに提供するとき、上記所定の製造条件の変更例に関する情報を併せてユーザに提供することが好ましく、また、ｉｉ）上記製品の形状の変更をユーザに促すための情報をユーザに提供するとき、上記製品の形状の変更例に関する情報を併せてユーザに提供することが好ましい。
【手続補正１１】
【補正対象書類名】明細書
【補正対象項目名】００１４
【補正方法】変更
【補正の内容】
【００１４】
さらに、上記一態様において、上記製品設計支援装置は、上記複数の段階がすべて完了して上記製品の形状が決定されたとき、上記所定の製造条件を上記製品と関連付けて上記記憶手段に記憶させる情報更新手段を更に有する、ことが好ましい。